(57)【要約】飲料自動販売装置において利用者の健康を自動的にチェックをして、これを基礎にして得られたデータに応じて調合された薬材料を含む茶飲料を提供する装置及び方法を提供する。自動販売装置は、利用者の健康状態をチェックする健康診断手段と、前記健康診断手段から出力されるデータを利用して利用者の健康状態を判断すると同時に、利用者の健康状態を好転させるいろいろな薬材料と含量を選択する制御信号を出力するように各種処方箋プログラムが内蔵されているコントローラと、様々な漢薬材料を保管する漢薬保管筒と、各漢薬保管筒の吐出口周辺に設けられ、コントローラから出力される制御信号により、漢薬（食品）粉末などの保管筒に保管されている薬材料の吐出含量を自動に制御する吐出制御部と、を含んで構成される。
2004517385.tif 000002
【特許請求の範囲】
【請求項１】
利用者に茶飲料を販売する自動販売装置であって、
この装置の利用方法・利用者の健康状態・広告画面のいずれかを含んで画面表示するモニターと、
販売装置を利用するために現金又はカードが決済されたか否かを検出する決裁検出部と、
利用者の脈拍を検出し、これに対応するデータを出力する脈拍検出部と、
利用者の虹彩を撮影しこれに該当されたデータを出力する虹彩撮影部と、
利用者が希望する茶飲料の種類を選択する茶飲料選択スイッチと、利用者の性別・年齢・体重に対応するデータを入力するデータ入力部と、
血圧検出部と虹彩撮影部とデータ入力部と茶飲料選択スイッチに各々出力されたデータ信号により利用者の健康状態を判断すると同時に、利用者の健康状態を好転させる各種の薬材料と含量を選択する制御信号を出力するコントローラと、各種の材料を保管する薬材料保管筒と、各薬材料保管筒の吐出口周辺に設けられ、コントローラで出力される制御信号により薬材料保管筒に保管されている薬材料の吐出含量を制御する吐出制御部と、
薬材料保管筒で吐出されるいろいろな薬材料と一定量の水とを混合するための混合部、および加熱のための加熱部と、
を備えて構成されることを特徴とする茶飲料自動販売装置。
【請求項２】
利用者に茶飲料を販売する自動販売装置であって、
この装置を利用するためにコイン（紙幣）又はカードが決済されたか否かを検出する決裁検出部と、
販売装置の利用方法・利用者の健康状態・広告画面のいずれかを含んで画面表示するモニターと、
利用者の脈拍を検出しこれに対応するデータを出力する脈拍検出部と、
利用者が虹彩を撮影しこれに対応するデータを出力する虹彩撮影部と、
利用者が所望の茶飲料の種類を選択すると同時に、利用者の性別・年齢・体重に対応するデータを入力するデータ入力部と、
血圧検出部と虹彩撮影部及びデータ入力部で出力されたデータ信号により利用者の健康状態を判断すると同時に、利用者の健康状態を好転させる各種の薬材料と含量を選択する制御信号を出力するコントローラと、各種の薬材料を保管する薬材料保管筒と、各薬材料保管筒の吐出口周辺に設けられ、前記コントローラで出力される制御信号により薬材料保管筒に保管されている薬材料の吐出含量を制御する吐出制御部と、
前記薬材料保管筒で吐出される各種の薬材料粉末をパッケージするためのパッケージ部と、
を備えて構成されたことを特徴とする茶飲料自動販売装置。
【請求項３】
利用者に茶飲料を販売する自動販売装置であって、
利用者の健康を診断する健康診断手段である虹彩撮影部及び脈拍感知部と、利用者の健康診断の結果により健康状態を好転させるいろいろな薬材料と含量を選択する制御信号を出力するするように各種処方箋プログラムが内蔵されているコントローラと、様々な薬材料を保管する薬材料保管筒と、各薬材料保管筒の吐出口周辺に設けられ、コントローラで出力される制御信号により薬材料保管筒に保管されている粉末状態の薬材料のパッケージ部や水を混合し加熱しコップに供給する混合及び過熱部により選択的に吐出し供給される吐出制御部と、
を備えて構成されたことを特徴とする茶飲料自動販売装置。
【請求項４】
請求項３に記載の茶飲料自動販売装置において、
前記薬材料保管筒は異なるサイズを有し、それぞれの筒内の低位置において、その内部にある高濃縮薬材料粉末の残量を検出し、対応するデータをコントローラにより供給し、モニターには残量の表示がなされ、遠隔地にあるサーバーとは無線通信を介して接続されるよう構成される、ことを特徴とする請求項３に記載の茶飲料自動販売装置。
【請求項５】
利用者に茶飲料を販売する自動販売装置であって、
利用者の健康状態をチェックする健康診断手段と、
健康診断手段から出力されるデータを利用して利用者の健康状態を判断して、様々の薬材料を選択する制御信号を出力するコントローラと、
薬材料保管筒の吐出口周辺に設けられ、コントローラで出力される制御信号により、薬材料保管筒に保管されている薬材料から適量を自動に吐き出す吐出制御部と、を備えて構成されたことを特徴とする茶飲料自動販売装置。
【請求項６】
自動販売装置によって利用者に茶飲料を販売する方法であって、
利用者が自動販売装置にカードまたは現金を投入したか否かを検出する決裁検出段階と、
前記決裁検出段階での決裁が検出されると、利用者が茶飲料の選択をしたか否かを判断する選択判断段階と、
前記選択判断段階で、利用者が茶飲料の選択をしていないと判断したときに、利用者の健康状態をチェックする利用者健康チェック段階と、
前記利用者健康チェック段階でのチェックにおけるデータの結果により、利用者の健康を増進するのに適する茶飲料を提供する段階と、
を含むことを特徴とする茶飲料自動販売方法。
【発明の詳細な説明】
【０００１】
【発明の属する技術分野】
本発明は、漢方茶など茶飲料の自動販売装置および自動販売方法に関するものであり、より詳細には、自動販売装置を利用する人の健康を自動に診断し、利用者の健康状態（病気）に応じて、いろいろな漢薬・食品・粉末などを適切に混合して、茶飲料を提供する茶飲料自動販売装置及びその方法に関するものである。
【０００２】
【従来の技術】
一般的に利用されている自動販売装置には、既にできあがっている多様な種類の飲料の中から、利用者によって選択された物を販売する装置がある。また、別のタイプの装置として、多様な種類のコーヒー・砂糖及び水などを各々の保管筒に保管しておき、利用者がコインを投入すると、選択されたコーヒーと砂糖及び水などを希望に応じて一定量混合された後、コップに吐出して利用者に供給するように構成されている装置もある。
【０００３】
上記のように自動動作するコーヒーなどの飲料自動販売装置の原理と、人の健康を診断するに用いられている虹彩診断法とを利用して、利用者の病気を治療する助けになるいろいろな高濃縮薬材料の粉末を適切に混合した茶飲料を販売することとすれば、国民の健康を大いに増進することができる。ここでの虹彩診断法とは、人の瞳孔周辺に丸く取囲んでいる自律神経の模様と位置とを検出して人の病気を判断する方法であって、いろいろな漢方医院や内科病院などで広く利用されている。
【０００４】
虹彩（瞳）の中心には、瞳孔がある。この瞳孔は、光の明るさ暗さによってその大きさが変わる。瞳孔縁から外側に向かって３分の１程度行くと、瞳孔と瞳との間に垣のような膜が丸く形成されている。瞳孔周辺を取囲んでいるこの線が自律神経である。この自律神経を中心に身体の全ての組織が連結されており、自律神経線の模様は、すぐに消化器官の状態を表すこととなる。自律神経は、内臓や血管線などに分布し、生命維持に必要である各種作用を、無意識的・自動的・反射的に調節している。例えば、心臓は人間が寝ているときにも、常に一定の拍動を続ける。自律神経は、交感神経と副交感神経より成っており、同一の器官に分布している。この二つ神経の作用は殆ど正反対となす。
【０００５】
交感神経と副交感神経は、同じ内臓のいろいろな器官に分布し、その作用を対抗的に支配している。例えば、交感神経の場合、心臓の拍動を激しくするが、副交感神経は徐々に作用をする。即ち、この二つは互いに反対される作用により互いに協力し、その結果、各器官の作用が巧妙に調節される。これら神経は、延髄又は間脳にある中枢により自律的に支配されている。かつ、自律神経はアドレナリンと関係にするが、副交感神経はアセチルコリンに関係する。自律神経が支配する部分は、生命維持に相当に重要な器官である。特に、内臓のうち消化器系統の胃と腸は、意志とは関係なしに自律神経の支配を受けており、その消化運動は交感神経の作用により抑制され、副交感神経の作用により促進される。血液循環の中心である腎臓の作用は、交感神経により強化され、副交感神経により抑制される。呼吸はある程度まで調節可能であるが、普通は自律神経によって支配されている。このように体の器官は、神経系の作用により調節されている。
【０００６】
この自律神経系を示す虹彩膜の形態は、消化器官の状態を示すことを、再び強調する。自律神経線内部とは、胃と腸のことを言い、大腸は身体の殆ど全ての臓器に連結されており、大腸に問題が発生するとそれに対応する臓器に影響を及ぼすことができる。全ての病気の８５％は、殆ど大腸にその原因があると言える。健康な人の自律神経膜（線）は、殆ど円形に近い形態であり、瞳孔から１／３程度の距離に位置している。
【０００７】
このように、自律神経膜の模様と瞳孔からの距離などを利用し、人の健康状態が分かる方法が虹彩診断法である。例えば、自律神経線が下方向に垂れていると、大腸が下に垂れているために、特に女性の場合には大腸が子宮と膀胱を押さえて正常的な活動ができないように妨害し、月経痛や膀胱炎などいろいろな痛症が発生する。このような自律神経線をデータ化して、これによる病気と処方箋データを自動販売装置の動作を制御するコントローラのメモリ領域に構築すると、利用者に一番よい漢方茶など茶飲料を提供することができる。
【０００８】
【発明が解決しようとする課題】
本発明の目的は、利用者の健康を自動に診断し、利用者の健康状態（病気）により、いろいろな漢薬粉末などの薬材料を適切に混合し、漢方茶などの茶飲料を提供する茶飲料自動販売装置及びその方法を提供することにある。
【０００９】
【課題を解決するための手段】
前記の目的を達成するための本発明による茶飲料自動販売装置は、コーヒー及び飲料などの自動販売装置において、前記自動販売装置の本体に装着され利用者の健康状態をチェックする健康診断手段と、前記健康診断手段から出力されるデータを利用して利用者の健康状態を判断すると同時に、利用者の健康状態を好転させるいろいろな漢薬などの薬材料と含量を選択する制御信号を出力するコントローラと、前記様々な薬材料を高濃縮粉末状態に保管する薬材料保管筒と、前記各薬材料保管筒の吐出口周辺に設けられ、前記コントローラから出力される制御信号により薬材料保管筒に保管されている粉末状態の薬材料の吐出含量を自動に制御する吐出制御部、により構成されたことを特徴とする。
【００１０】
一方、本発明による茶飲料自動販売方法は、利用者がカードのスキャンニングをしたり現金を投入したりしたか否かを検出する決裁検出ステップと、前記決裁検出ステップで貨幣が検出されると、利用者が任意の茶飲料を選択したか否かを判断するステップと、前記選択判断ステップで判断した結果、利用者が任意の漢方茶を選択しなかったら、利用者の健康状態をチェックする利用者健康チェックステップと、前記利用者の健康チェックステップでチェックしたデータの結果に応じて、利用者の健康を増進するように、いろいろな薬材料（漢薬・食品など）の保管筒から適正量の薬材料を吐出して茶飲料を提供するステップから成ることを特徴とする。
【００１１】
【発明の実施の形態】
以下、図面１〜３を参照して、本発明の望ましい実施の形態をより詳細に説明する。
【００１２】
図１は、本発明による茶飲料自動販売装置の一例として、漢方茶自動販売装置を示す図であり、図２はその漢方茶自動販売装置の内部に装着された回路を示す図である。図１及び図２で、電源スイッチング部４０は決裁検出部２０で現金またはカードを検出したとき、コントローラ３０で出力される電源スイッチング制御信号により電源供給部１０で出力される駆動電源をスイッチングし、血圧検出部５０と虹彩撮影部７０などに備えるように構成されており、モニター１００は自動販売装置の上端前面に装着され、販売装置利用方法と利用者の脈拍及び健康状態を表示するよう構成される。図１のモニター１００には、例えば、「脈拍（血圧）：７０〜１２０、健康状態：良好」などのように表示される。
【００１３】
決裁検出部２０は、前記販売装置を利用するためにコイン（紙幣）又はカードが決済されたか否かを検出し、これに該当されたデータを、コントローラ３０に供給するように構成されており、データ入力部１５は、利用者の性別や年齢や体重に該当されたデータを入力するように構成されている。
【００１４】
一方、健康診断手段である血圧検出部５０は、脈拍センサ５２と心電波センサ５４とが自動販売装置の外部に突出形成されて構成されるが、前記脈拍センサ５２は血流測定用発光ダイオード５２ａと受光素子であるフォトトランジスター５２ｂに構成されており、心電波センサ５４は心電波検出用電極に構成されており、超音波映像診断機６０は超音波により撮影した被検者の特定部位に該当されたデータを出力するように構成されている。
【００１５】
そして、虹彩撮影部７０は利用者の虹彩を撮影し、これに対応されたデータを出力するように、赤外線カメラまたは一般のＣＣＤカメラによって構成されており、アナログ／デジタル変換部９０は、前記血圧検出部５０と超音波映像診断機６０及び虹彩撮影部７０で出力される信号が、増幅部８０を通じて入力されると、この信号をデジタル信号に変換して、コントローラ３０に供給するよう構成されている。
【００１６】
コントローラ３０は、血圧検出部５０と虹彩撮影部７０及び超音波映像診断機６０で出力されたデータにより、利用者の健康状態を判断すると同時に、利用者の健康状態を好転させるいろいろな漢薬材料と含量を選択する制御信号を出力するようにプログラムが内蔵されており、第１〜第ｎの吐出制御部（１１０−１１０ｎ）は、各種様々な漢薬粉末や漢方茶を保管している高濃縮漢薬粉末保管筒（２００）（２００ａ）（２００ｎ）の吐出口周辺に設けられ、前記コントローラ３０で出力される制御信号により、漢薬粉末保管筒に保管されている粉末状態の漢薬材の吐出含量を自動に制御するようなステップモータと、前記ステップモータのシャフトに結合されているスクリューにより構成されている。
【００１７】
そして、前記の高濃縮漢薬粉末保管筒（２００）（２００ａ）（２００ｎ）の内部底面には、残量検出部（２０１）（２０２）であるセンサが各々設けられ、高濃縮漢薬粉末が一定量以下、このとき、これを検出してこれに該当されたデータをコントローラ３０を通じてモニター１００に供給し、残量を表示したりインターネット網３１０を通じて、サーバー３２０に供給し、これが管理所３４０及び漢薬材料供給所３５０から分かるように構成されており、虹彩撮影部７０や超音波映像診断機６０で出力される信号が、インターネット網３１０とサーバー３２０を通じて、医者端末機３６０や漢医師端末機３３０に供給され、健康状態を医者らが診断するように構成されている。
【００１８】
一方、混合及び加熱部３００は、前記漢薬保管筒２００及び水筒（図示せず）で吐出されるいろいろな漢薬材料と一定量の水を混合し加熱し、コップ４００に漢方茶を投下するように構成されており、第１〜第ｎ吐出制御部（１１０）（１１０ｎ−１）で吐出される漢薬材は、利用者の希望によって粉末包装部５００（パッケージ部）でパッケージすることもできる。
【００１９】
前記のような構成を有する漢方茶自動販売装置の動作を全体的に記述すると、次のとおりである。
【００２０】
本発明による漢方茶自動販売装置は、モニター１００において、その利用方法がディスプレーされた状態で、たとえば、銭湯や待合室そして地下鉄駅の構内などに設けられている。
【００２１】
前記のような場所に設置されている漢方茶自動販売装置において、その決裁検出部２０に一定金額のコインまたは紙幣を投入すると、コントローラ３０がこれを感知して、電源スイッチング部４０にスイッチング制御信号を供給し、血圧検出部５０と超音波映像診断機６０および虹彩撮影部７０とに駆動電源を供給し、図面に省略されているスピーカーやモニター１００を通じて、この装置の利用方法を再び説明する。
【００２２】
前記のような状態で、利用者が脈拍及び心拍数を測定するために一つの指に脈拍センサ５２の構成素子である血流測定用発光ダイオード５２ａとフォトトランジスター５２ｂの上部を押さえ、これと同時に他の指に心電波センサ５４の構成素子である心電波検出用電極の上部を押さえる。
【００２３】
このとき、血流測定用発光ダイオード５２ａで投射される赤外線帯域の光が皮膚表面を通過した後、受光素子であるフォトトランジスター５２ｂに入射され入る過程で、血液のうちのヘモグロビンが特定波長の光を吸収することになる。即ち、血液のうちのヘモグロビンの信号を受ける吸収作用により入射光の量を測定することになるが、流れる血流によってヘモグロビンの数の差異がするので、入射光量の差異ができる。従って、脈拍によって指の端を貫通する血流の量は、周期的な変化を示し、これはフォトトランジスター５２ｂを通じて受信され、それによる電圧の変化に示される。
【００２４】
そして、心電波を検出するための方法は、心臓の拍動をするときに発生するＲ波を検出することであり、Ｒ波は心臓拍動と同時に心電波検出用電極上に置かれた指の表面に伝達され、これが心電波センサ５４である心電波検出用電極を通じて検出される。
【００２５】
即ち、心臓の脈動で起る現象を、二つ方法によって同時に測定する結果になるが、二信号の差異点は検知される時間が異なると言うものである。血流量を通じた脈拍検知の場合、血管の形態などのいろいろな要因によって実際に心臓で指まで到達するにはどのぐらい時間がかかるが、心電波の場合は心臓の収縮と殆ど同時に検出することになる。
【００２６】
前記血圧検出部５０の脈拍センサ５２と心電波センサ５４で出力されるデータは、増幅部８０を通じて一定レベル以上に増幅された後、アナログ／デジタル変換部９０を通じてデジタルデータに変換され、コントローラ３０に供給されると、前記コントローラ３０は利用者の最高低の血圧を判断して、それを利用者の健康をチェックするに利用する。
【００２７】
そして、超音波映像診断機６０及び虹彩撮影部７０で撮影したデータとデータ入力部１５に入力した利用者の年齢、性別、体重およびマイク（図示せず）に入力された信号がコントローラ３０に入力されると、前記コントローラ３０は利用者の血圧と虹彩パターンによるデータを利用して、利用者の健康状態をチェックし、利用者の健康を増進させるための漢方茶を、前記健康状態により処方箋プログラムを実施して提供するために、吐出制御信号を様々な漢薬粉末を保管している高濃縮漢薬粉末保管筒（２００）（２００ａ）（２００ｎ）の吐出口周辺に設けられた第１〜第ｎ吐出制御部（１１０−１１０ｎ）に、各々供給する。
【００２８】
前記第１〜第ｎ吐出制御部（１１０−１１０ｎ）の動作により、各漢薬保管筒２００で吐出された粉末は、水筒２００ｎで吐出された一定量の水と、混合／加熱部３００において混合され加熱された後、コップ４００に漢方茶を投下し、利用者が漢方茶を飲むことになる。
【００２９】
つぎに、図３に示すフローチャートを参照しながら説明する。本発明による漢方茶自動販売方法では、利用者が貨幣などを投入すると、図２に図示されたコントローラ３０は、ステップＳ１のように現金投入またはカード挿入を検出した後、ステップＳ２に行って、利用者が任意の漢方茶（宿酔除去用茶、棗茶）を選択したか否かを判断するが、例えば、任意の漢方茶を選択したとき、ステップＳ７のように選択された漢方茶を保管筒で吐出す。
【００３０】
一方、前記判断ステップで判断した結果、任意の漢方茶を選択しなかったら、ステップＳ３に行って、利用者の血圧（脈拍）を感知すると同時に虹彩を撮影し、コントローラ３０に供給すると、前記コントローラ３０は健康診断プログラムを実施し、ステップＳ４のように利用者の健康をチェックし、これに対応する処方箋データをステップＳ５で選択し、各保管筒２００に保管している漢薬粉末を、決定された分量に従って吐出して提供するステップＳ６のように、吐出制御部の動作を制御する。
【００３１】
【発明の効果】
上述した本発明によると、自動販売装置を利用する利用者の健康をチェックして、利用者の健康状態（病気など）に応じて、いろいろな漢薬粉末などの薬材料を適切に混合し、それを漢方茶などの茶飲料として提供するので、利用者の健康を容易に増進させることができる。
【図面の簡単な説明】
【図１】
本発明による茶飲料自動販売装置の一実施の形態である漢方茶自動販売装置をを示す概観斜視図である。
【図２】
本発明による漢方茶自動販売装置の内部に具備されている回路などの構成を具体的に示す図である。
【図３】
本発明による漢方茶自動販売装置の動作を説明するフローチャートである。
【図１】
2004517385.tif 000003
【図２】
2004517385.tif 000004
【図３】
2004517385.tif 000005
【国際公開パンフレット】
2004517385.tif 000006
2004517385.tif 000007
2004517385.tif 000008
2004517385.tif 000009
2004517385.tif 000010
2004517385.tif 000011
2004517385.tif 000012
2004517385.tif 000013
2004517385.tif 000014
2004517385.tif 000015
2004517385.tif 000016
2004517385.tif 000017
2004517385.tif 000018
2004517385.tif 000019
2004517385.tif 000020
2004517385.tif 000021
2004517385.tif 000022
2004517385.tif 000023
2004517385.tif 000024
2004517385.tif 000025
2004517385.tif 000026
2004517385.tif 000027
【国際調査報告】
2004517385.tif 000028